(57)【特許請求の範囲】
【請求項１】
受信信号が入力される受信信号入力端子と、
局部発振信号が入力される局部発振信号入力端子と、
前記受信信号入力端子から入力される受信信号を増幅する第３の増幅器と、
前記第３の増幅器の出力端に接続される接合点と、
前記接合点を介して入力される前記第３の増幅器で増幅された信号を増幅する前記第１の増幅器と、
前記接合点を介して入力される前記第３の増幅器で増幅された信号を増幅する前記第２の増幅器と、
前記第１の増幅器で増幅された信号を減衰させる第１の可変アッテネータと、
前記第２の増幅器で増幅された信号を減衰させる第２の可変アッテネータと、
前記局部発振信号入力端子から入力される局部発振信号を出力し、当該局部発振信号に対して９０度の位相変換を行った９０度位相発振信号を出力する９０度電力分配回路と、
前記第１の可変アッテネータが減衰させた信号と、前記９０度電力分配回路の出力する局部発振信号とを乗算し、乗算による周波数変換を行う第１のミキサと、
前記第２の可変アッテネータが減衰させた信号と、前記９０度電力分配回路の出力する９０度位相発振信号とを乗算し、乗算による周波数変換を行う第２のミキサと、
前記第１のミキサで周波数変換が行われた信号を出力する第１の信号出力端子と、
前記第２のミキサで周波数変換が行われた信号を出力する第２の信号出力端子と、
を備えることを特徴とするＲＦフロントエンド回路。
【請求項２】
前記第３の増幅器の出力端と、前記接合点との間に設けられ、前記第３の増幅器から出力される信号を減衰させ、減衰した信号を前記接合点を介して前記第１の増幅器及び前記第２の増幅器に出力する第３の可変アッテネータ
を備えることを特徴とする請求項１に記載のＲＦフロントエンド回路。
【請求項３】
前記接合点と前記第１の増幅器の入力端との間に設けられ、前記接合点を介して前記第３の増幅器から入力される信号を減衰させ、減衰した信号を前記第１の増幅器に出力する第４の可変アッテネータと、
前記接合点と前記第２の増幅器の入力端との間に設けられ、前記接合点を介して前記第３の増幅器から入力される信号を減衰させ、減衰した信号を前記第２の増幅器に出力する第５の可変アッテネータと、
を備えることを特徴とする請求項１又は請求項２のいずれかに記載のＲＦフロントエンド回路。
【発明の詳細な説明】
【技術分野】
【０００１】
本発明は、主に広周波数帯域を通信に用いる受信機に備えられるＲＦ（Radio Frequency）フロントエンド回路に関する。
【背景技術】
【０００２】
従来、ダイレクトコンバージョンにより受信信号をベースバンドにまでダウンコンバートする１チップＲＦフロントエンド回路の設計においては、受信対象とする搬送波が狭い周波数帯域に限定されているのでインピーダンス整合をとった設計などが行われている（非特許文献１及び非特許文献２参照）。
例えば、図６は、従来のＲＦフロントエンド回路９の構成例を示す図である。従来の狭帯域のＲＦフロントエンド回路では、増幅器１０３、増幅器１０４、増幅器１０２の前段及び後段のインピーダンス整合をとり、局部発振信号入力端子１０９から入力される局部発振信号（以下、ＬＯ（Local Oscillator）信号とする）がミキサ１０５及びミキサ１０６を介して、当該増幅器で反射されるＬＯ信号が低減される設計を行っている。これにより、増幅器１０２、増幅器１０３及び増幅器１０４で反射され回り込むＬＯ信号や、基板を介して回り込むＬＯ信号や、ＬＯ信号に洩れた受信信号がセルフミキシングされることで発生するＤＣオフセットの低減が行われている。
【非特許文献１】Behzad Razavi著、黒田忠広監訳、「ＲＦマイクロエレクトロニクス」、丸善株式会社、平成１４年３月２５日、ｐ．１４４−１４６
【非特許文献２】Bengt Lindoff、Peter Malm、"BER Performance Analysis of Direct Conversion Receiver"、IEEE TRANSACTION ON COMMUNICATIONS、VOL.50、NO.5、p.856−865、MAY 2002
【発明の開示】
【発明が解決しようとする課題】
【０００３】
しかしながら、携帯電話や無線ＬＡＮなどの様々な通信規格を１つの装置で受信するために数百ＭＨｚから数ＧＨｚ程度までの広い周波数帯域において信号を受信可能な１チップＲＦフロントエンド回路では、単一システムの狭い周波数帯域にのみ対応したＲＦフロントエンド回路と同程度のインピーダンス整合を実現することは困難である。このため、局部発振器によるＬＯ信号がミキサを介して受信信号の経路に回り込み増幅器で反射されてミキサに再入力される、あるいは基板を介して受信信号の経路に回り込みミキサに入力されることにより、セルフミキシングが起こりＤＣオフセットが発生するという問題がある。
【０００４】
本発明は、上記問題を解決すべくなされたもので、その目的は、局部発振信号のセルフミキシングによるＤＣオフセットの発生を低減することを特徴とした広い周波数帯域に対応するＲＦフロントエンド回路を提供することにある。
【課題を解決するための手段】
【０００６】
上記問題を解決するために、本発明は、受信信号が入力される受信信号入力端子と、局部発振信号が入力される局部発振信号入力端子と、前記受信信号入力端子から入力される受信信号を増幅する第３の増幅器と、前記第３の増幅器の出力端に接続される接合点と、前記接合点を介して入力される前記第３の増幅器で増幅された信号を増幅する前記第１の増幅器と、前記接合点を介して入力される前記第３の増幅器で増幅された信号を増幅する前記第２の増幅器と、前記第１の増幅器で増幅された信号を減衰させる第１の可変アッテネータと、前記第２の増幅器で増幅された信号を減衰させる第２の可変アッテネータと、前記局部発振信号入力端子から入力される局部発振信号を出力し、当該局部発振信号に対して９０度の位相変換を行った９０度位相発振信号を出力する９０度電力分配回路と、前記第１の可変アッテネータが減衰させた信号と、前記９０度電力分配回路の出力する局部発振信号とを乗算し、乗算による周波数変換を行う第１のミキサと、前記第２の可変アッテネータが減衰させた信号と、前記９０度電力分配回路の出力する９０度位相発振信号とを乗算し、乗算による周波数変換を行う第２のミキサと、前記第１のミキサで周波数変換が行われた信号を出力する第１の信号出力端子と、前記第２のミキサで周波数変換が行われた信号を出力する第２の信号出力端子とを備えることを特徴とするＲＦフロントエンド回路である。
【０００７】
また、本発明は、上記記載の発明において、前記第３の増幅器の出力端と、前記接合点との間に設けられ、前記第３の増幅器から出力される信号を減衰させ、減衰した信号を前記接合点を介して前記第１の増幅器及び前記第２の増幅器に出力する第３の可変アッテネータを備えることを特徴とする。
【０００８】
また、本発明は、上記記載の発明において、前記接合点と前記第１の増幅器の入力端との間に設けられ、前記接合点を介して前記第３の増幅器から入力される信号を減衰させ、減衰した信号を前記第１の増幅器に出力する第４の可変アッテネータと、前記接合点と前記第２の増幅器の入力端との間に設けられ、前記接合点を介して前記第３の増幅器から入力される信号を減衰させ、減衰した信号を前記第２の増幅器に出力する第５の可変アッテネータとを備えることを特徴とする。
【発明の効果】
【０００９】
本発明によれば、ＲＦフロントエンド回路は、受信信号が入力される受信信号入力端子と、局部発振信号が入力される局部発振信号入力端子と、周波数変換が行われた信号を出力する信号出力端子と、受信信号入力端子から入力される受信信号を増幅し、増幅した信号を出力する増幅器と、増幅器が出力する増幅された信号を減衰させ、減衰した信号を出力する可変アッテネータと、可変アッテネータが出力する信号と、局部発振信号入力端子から入力される局部発振信号とを乗算し、乗算による周波数変換が行われた信号を信号出力端子へ出力するミキサとを備える構成とした。これにより、増幅器とミキサとの間に可変アッテネータを設け、増幅器の後段のインピーダンス整合をとると共に、ミキサを介して漏洩し増幅器で反射された局部発振信号や、基板の接地を介して回り込む局部発振信号を抑圧することが可能となる。この結果、反射した局部発振信号及び回り込む局部発振信号が、局部発振信号入力端子から入力される局部発振信号と乗算されることで発生するセルフミキシングにより発生するＤＣオフセットを低減することが可能となる。
【発明を実施するための最良の形態】
【００１０】
以下、本発明の実施形態によるＲＦフロントエンド回路の構成を図面を参照して説明する。
【００１１】
（第１実施形態）
図１は、第１実施形態におけるシングルエンドのＲＦフロントエンド回路１を示す回路構成図である。ＲＦフロントエンド回路１は、受信信号を入力する受信信号入力端子１０、増幅器１１、可変アッテネータ１２、周波数変換を行うミキサ１３、局部発振信号（以下、ＬＯ信号とする）を入力する局部発振信号入力端子１４、信号出力端子１５を備える。
増幅器１１は、受信信号入力端子１０から入力される受信信号を増幅し、増幅した信号を可変アッテネータ１２に出力する。可変アッテネータ１２は、増幅器１１から入力される信号を減衰させ、減衰した信号をミキサ１３に出力する。ミキサ１３は、可変アッテネータ１２の出力端が接続されるＲＦ端子から入力される信号と、局部発振信号入力端子１４に接続されるＬＯ端子から入力されるＬＯ信号とを乗算する。また、ミキサ１３は、乗算により周波数変換した信号をＩＦ端子に接続される信号出力端子１５へ出力する。
【００１２】
ＲＦフロントエンド回路１の受信信号入力端子１０から入力された受信信号は、増幅器１１で増幅される。増幅された信号は、可変アッテネータ１２で減衰され、ミキサ１３のＲＦ端子へ入力される。ミキサ１３において、ＲＦ端子から入力された信号は、ＬＯ端子から入力されるＬＯ信号と乗算されることにより周波数変換が行われる。周波数変換が行われた信号は、ミキサ１３のＩＦ端子から出力され、信号出力端子１５を介してＲＦフロントエンド回路１の外部へ出力される。
なお、第１実施形態及び後述する実施形態において説明するＲＦフロントエンド回路は、中間周波数へ変換する方式、Ｌｏｗ−ＩＦ方式及びダイレクトコンバージョン方式のいずれに用いてもよい。
【００１３】
ＲＦフロントエンド回路１は、増幅器１１とミキサ１３との間に可変アッテネータ１２を接続した構成をとっている。これにより、増幅器１１のインピーダンス整合をとると共に、局部発振信号入力端子１４から入力されるＬＯ信号がミキサ１３を介して増幅器１１で反射されたＬＯ信号と、基板の接地を介して回り込むＬＯ信号とを減衰させる。したがって、予めインピーダンス整合をとることが困難な広い周波数帯域を扱うＲＦフロントエンド回路１においても、可変アッテネータ１２により、増幅器１１で反射されたＬＯ信号とＬＯ信号自身とがミキサ１３でセルフミキシングされ発生するＤＣオフセットを低減することが可能となる。
【００１４】
（第２実施形態）
図２は、第２実施形態の直交ダウンコンバージョンを行うＲＦフロントエンド回路１ａを示す回路構成図である。ＲＦフロントエンド回路１ａは、受信信号を入力する受信信号入力端子２１、増幅器２２、増幅器２３、増幅器２４、可変アッテネータ２５、可変アッテネータ２６、ミキサ２７、ミキサ２８、９０度電力分配回路２９、ＬＯ信号を入力する局部発振信号入力端子３１、信号出力端子３０及び信号出力端子３２を備える。
【００１５】
増幅器２２は、受信信号入力端子１０から入力される受信信号を増幅し、増幅した信号を接合点Ａを介して増幅器２３及び増幅器２４に出力する。増幅器２３は、接合点Ａを介して増幅器２２から入力される信号を増幅し、増幅した信号をアッテネータ２５へ出力する。アッテネータ２５は、増幅器２３から入力される信号を減衰させ、減衰した信号をミキサ２７へ出力する。９０度電力分配回路２９は、２つのＬＯ信号出力端を有しており、局部発振信号入力端子３１から入力されるＬＯ信号を２つのＬＯ信号出力端の一方から出力し、ＬＯ信号に対し９０度の位相変換を行った９０度位相発振信号（以下、９０度ＬＯ信号とする）をＬＯ信号出力端の他方から出力する。ミキサ２７は、可変アッテネータ２５の出力端と接続されるＲＦ端子から入力される信号と、９０度電力分配回路２９の一方のＬＯ信号出力端と接続するＬＯ端子から入力されるＬＯ信号とを乗算をする。また、ミキサ２７は、乗算により周波数変換した信号を信号出力端子３０へ出力する。
【００１６】
増幅器２４は、接合点Ａを介して増幅器２２から入力される信号を増幅し、増幅した信号を可変アッテネータ２６へ出力する。可変アッテネータ２６は、増幅器２４から入力される信号を減衰させ、減衰した信号をミキサ２８に出力する。ミキサ２８は、可変アッテネータの出力端に接続されたＲＦ端子から入力される信号と、９０度電力分配回路２９の他方のＬＯ信号出力端に接続するＬＯ端子から入力される９０度ＬＯ信号とを乗算する。また、ミキサ２８は、乗算により周波数変換した信号を信号出力端子３２に出力する。
【００１７】
ＲＦフロントエンド回路１ａの受信信号入力端子２１に入力された受信信号は、増幅器２２で１次増幅される。１次増幅された信号は、増幅器２３で２次増幅され、可変アッテネータ２５で減衰されることでミキサ２７への入力レベルが調整される。また、同様に、１次増幅された信号は、増幅器２４で２次増幅され、可変アッテネータ２６で減衰されることでミキサ２８への入力レベルが調整される。９０度電力分配回路２９は、局部発振信号入力端子３１から入力されたＬＯ信号と、入力されたＬＯ信号に対して９０度の位相変換を行った９０度ＬＯ信号を出力する。
ミキサ２７において、可変アッテネータ２５から入力された信号と、９０度電力分配回路から入力されたＬＯ信号とが乗算され、乗算により周波数変換された信号は信号出力端子５１から出力される。ミキサ２８において、可変アッテネータ２６から入力される信号と、９０度電力分配回路から入力される９０度ＬＯ信号とが乗算され、乗算により周波数変換された信号は信号出力端子５２から出力される。
以上の動作により、受信信号入力端子２１から入力された受信信号は、局部発振信号端子５２から入力される局部発振信号の周波数に応じて周波数変換と直交成分に分離とが行われ、分離された直交成分を含む信号は、信号出力端子５１及び信号出力端子５３から出力される。
【００１８】
ＲＦフロントエンド回路１ａは、増幅器２３とミキサ２７との間に可変アッテネータ２５を備える。これにより、ＲＦフロントエンド回路１ａは、可変アッテネータ２５でインピーダンス整合をとると共に、ミキサ２７のＲＦ端子から入力されるＬＯ信号、すなわち９０度電力分配回路２９とミキサ２７とを介して増幅器２３で反射されるＬＯ信号、及び基板の接地を介して回り込むＬＯ信号を低減させる。
また、ＲＦフロントエンド回路１ａは、増幅器２４とミキサ２８との間に可変アッテネータ２６を備える。これにより、ＲＦフロントエンド回路１ａは、可変アッテネータ２６でインピーダンス整合をとると共に、ミキサ２８のＲＦ端子から入力される９０度ＬＯ信号、すなわち９０度電力分配回路２９とミキサ２８とを介して増幅器２４で反射される９０度ＬＯ信号、及び基板の接地を介して回り込む９０度ＬＯ信号を低減させる。
【００１９】
この結果、ミキサ２７において、反射されたＬＯ信号及び回り込むＬＯ信号と、ＬＯ端子から入力されるＬＯ信号とがセルフミキシングされるとことで発生するＤＣオフセットを低減することが可能となる。また、ミキサ２８において、反射される９０度ＬＯ信号及び回り込む９０度ＬＯ信号と、ＬＯ端子から入力される９０度ＬＯ信号とがセルフミキシングされることで発生するＤＣオフセットを低減することが可能となる。また、増幅器２３及び増幅器２４それぞれの後段に可変アッテネータ２５及び可変アッテネータ２６を備えることで、増幅器２３及び増幅器２４の特性や回路レイアウトに合わせ、直交信号のＩ相及びＱ相それぞれ独立にインピーダンス整合をとることが容易となる。
【００２０】
（第３実施形態）
図３は、第３実施形態の直交ダウンコンバージョンを行うＲＦフロントエンド回路１ｂを示す回路構成図である。ＲＦフロントエンド回路１ｂは、受信信号入力端子４１、増幅器４２、可変アッテネータ４３、増幅器４４、増幅器４５、可変アッテネータ４６、可変アッテネータ４７、ミキサ４８、ミキサ４９、９０度電力分配回路５０、信号出力端子５１、局部発振信号入力端子５２及び信号出力端子５３を備える。
【００２１】
増幅器４２は、受信信号入力端子４１から入力される受信信号を増幅し、増幅した信号を可変アッテネータ４３に出力する。可変アッテネータ４３は、増幅器４２から入力される信号を減衰させ、減衰した信号を接合点Ｂを介して増幅器４４及び増幅器４５に出力する。増幅器４４は、接合点Ｂを介して可変アッテネータ４３から入力される信号を増幅し、増幅した信号を可変アッテネータ４６に出力する。アッテネータ４６は、増幅器４４から入力される信号を減衰させ、減衰させた信号をミキサ４８へ出力する。９０度電力分配回路５０は、２つのＬＯ信号出力端を有しており、局部発振信号入力端子５２から入力されるＬＯ信号を、２つのＬＯ信号出力端の一方から出力し、ＬＯ信号に対して９０度の位相変換を行った９０度位相発振信号を他方のＬＯ信号出力端から出力する。ミキサ４８は、可変アッテネータ４６の出力端に接続されるＲＦ端子から入力される信号と、９０度電力分配回路５０のＬＯ信号出力端の一方に接続されるＬＯ端子から入力されるＬＯ信号とを乗算する。また、ミキサ４８は、乗算により周波数変換された信号をＩＦ端子に接続される信号出力端子５１へ出力する。
【００２２】
増幅器４５は、接合点Ｂを介して可変アッテネータ４３から入力される信号を増幅し、増幅した信号を可変アッテネータ４７へ出力する。可変アッテネータ４７は、入力される信号を減衰させ、減衰した信号をミキサ４９へ出力する。ミキサ４９は、可変アッテネータ４７の出力端に接続されるＲＦ端子から入力される信号と、９０度電力分配回路５０のＬＯ信号出力端の他方に接続されるＬＯ端子から入力される９０度ＬＯ信号とを乗算する。また、ミキサ４９は、乗算により周波数変換した信号をＩＦ端子に接続される信号出力端子５３へ出力する。
【００２３】
受信信号入力端子４１から入力された受信信号を増幅器４２で１次増幅した後に、可変アッテネータ４３で減衰を行う処理が、ＲＦフロントエンド回路１ｂと前述したＲＦフロントエンド回路１ａとの異なる処理である。ＲＦフロントエンド回路１ｂの可変アッテネータ４３より後の処理は、ＲＦフロントエンド回路１ａと同様の処理を行う。
ＲＦフロントエンド回路１ｂは、受信信号入力端子４１から入力された受信信号の周波数変換及び直交成分への分離を行い、分離された直交成分を含む信号を信号出力端子５１及び信号出力端子５３から出力する。
【００２４】
ＲＦフロントエンド回路１ｂは、第２実施形態のＲＦフロントエンド回路１ａと比して、受信信号入力端子４１が接続される増幅器４２の後段に可変アッテネータ４３を備えることで、増幅器４２の後段のインピーダンス整合をとることが可能となる共に、直交信号のＩ相及びＱ相に共通の増幅器４２で反射されるＬＯ信号と９０度ＬＯ信号、及び基板の接地を介して回り込むＬＯ信号と９０度ＬＯ信号を減衰させることが可能となる。また、ＲＦフロントエンド回路１ｂのレイアウトに依存する反射されるＬＯ信号と９０度ＬＯ信号、及び回り込むＬＯ信号と９０度ＬＯ信号の減衰を行い易くなる。
【００２５】
また、ＲＦフロントエンド回路１ｂは、増幅器４４とミキサ４８との間に可変アッテネータ４６を備える。これにより、ＲＦフロントエンド回路１ｂは、増幅器４４の後段のインピーダンス整合をとると共に、接続された回路を介して増幅器４４で反射されたＬＯ信号及び基板の接地を介して回り込むＬＯ信号を低減させることが可能となる。
また、ＲＦフロントエンド回路１ｂは、増幅器４５とミキサ４９との間に可変アッテネータ４７を備える。これにより、ＲＦフロントエンド回路１ｂは、増幅器４５の後段のインピーダンス整合をとると共に、接続された回路を介して増幅器４５で反射された９０度ＬＯ信号及び基板の接地を介して回り込む９０度ＬＯ信号を低減させることが可能となる。
したがって、ＲＦフロントエンド回路１ｂは、ミキサ４８において、反射されるＬＯ信号及び接地を介して回り込むＬＯ信号と、ＬＯ端子から入力されるＬＯ信号とがセルフミキシングされることで発生するＤＣオフセットを低減することが可能となる。また、ＲＦフロントエンド回路１ｂは、ミキサ４９において、反射される９０度ＬＯ信号及び接地を介して回り込む９０度ＬＯ信号と、ＬＯ端子から入力される９０度ＬＯ信号とがセルフミキシングされることで発生するＤＣオフセットを低減することが可能となる。
【００２６】
（第４実施形態）
図４は、第４実施形態の直交ダウンコンバージョンを行うＲＦフロントエンド回路１ｃを示す回路構成図である。ＲＦフロントエンド回路１ｃは、受信信号入力端子６１、増幅器６２、可変アッテネータ６３、可変アッテネータ６４、増幅器６５、増幅器６６、可変アッテネータ６７、可変アッテネータ６８、ミキサ６９、ミキサ７０、９０度電力分配回路７１、信号出力端子７２、局部発振信号入力端子７３及び信号出力端子７４を備える。
【００２７】
増幅器６２は、受信信号入力端子６１から入力される受信信号を増幅し、接合点Ｃを介して増幅した信号を可変アッテネータ６３及び可変アッテネータ６４へ出力する。可変アッテネータ６３は、接合点Ｃを介して増幅器６２から入力される信号を減衰させ、減衰した信号を増幅器６５へ出力する。増幅器６５は、可変アッテネータ６３から入力される信号を増幅し、増幅した信号を可変アッテネータ６７へ出力する。可変アッテネータ６７は、増幅器６５から入力される信号を減衰させ、減衰した信号をミキサ６９へ出力する。９０度電力分配回路７１は、ＬＯ信号出力端を２つ有しており、局部発振信号入力端子７３から入力されるＬＯ信号を２つのＬＯ信号出力端の一方から出力し、入力されるＬＯ信号に対し９０度の位相変換を行った９０度位相発振信号を他方のＬＯ信号出力端から出力する。ミキサ６９は、可変アッテネータ６７の出力端に接続されるＲＦ端子から入力される信号と、９０度電力分配回路７１の一方のＬＯ信号出力端に接続されるＬＯ端子から入力されるＬＯ信号とを乗算する。また、ミキサ６９は、乗算されることにより周波数変換された信号を信号出力端子７２に出力する。
【００２８】
可変アッテネータ６４は、接合点Ｃを介して増幅器６２から入力される増幅された信号を減衰させ、減衰した受信信号を増幅器６６に出力する。増幅器６６は、可変アッテネータ６４から入力される受信信号を増幅し、可変アッテネータ６８に出力する。可変アッテネータ６８は、増幅器６６から入力される受信信号を減衰させ、減衰した受信信号をミキサ７０に出力する。ミキサ７０は、可変アッテネータ６８の出力端に接続されるＲＦ端子から入力される信号を、９０度電力分配回路７１の他方のＬＯ信号出力端に接続されるＬＯ端子から入力される９０度ＬＯ信号と乗算する。ミキサ７０は、乗算して周波数変換した信号を信号出力端子７４に出力する。
【００２９】
ＲＦフロントエンド回路１ｃにおいて、増幅器６２での１次増幅後に信号の減衰を行う処理は、前述のＲＦフロントエンド回路１ｂの処理と同様であるが、Ｉ相とＱ相との信号を独立に減衰させる処理が異なる。２次増幅を行う増幅器６５及び増幅器６６からの処理は、ＲＦフロントエンド回路１ｂと同様の処理である。
ＲＦフロントエンド回路１ｃは、受信信号入力端子６１から入力された受信信号の周波数変換及び直交成分への分離を行い、分離された直交成分を含む信号を信号出力端子７２及び信号出力端子７４から出力する。
【００３０】
ＲＦフロントエンド回路１ｃは、第２実施形態及び第３実施形態のＲＦフロントエンド回路１ｂに比して、増幅器６２で初段の増幅の後にＩ相とＱ相の回路それぞれ可変アッテネータ６３及び可変アッテネータ６４を備えている。これにより、増幅器６２、増幅器６５及び増幅器６６の特性や、回路のレイアウトに合わせ、直交信号のＩ相及びＱ相それぞれの回路独立にインピーダンス整合をとることが容易となると共に、増幅器６２で反射されるＬＯ信号と９０度ＬＯ信号、及び基板の接地を介して回り込むＬＯ信号と９０度ＬＯ信号をＩ相及びＱ相の回路特性それぞれに合わせて減衰させることが容易となる。
【００３１】
また、ＲＦフロントエンド回路１ｃは、増幅器６５の後段に可変アッテネータ６７を備え、増幅器６６の後段に可変アッテネータ６８を備える。これにより、ＲＦフロントエンド回路１ｃは、増幅器６５の後段のインピーダンス整合をとると共に、増幅器６５で反射されるＬＯ信号及び基板の接地を介して回り込むＬＯ信号を低減させることが可能となる。また、ＲＦフロントエンド回路１ｃは、増幅器６６の後段のインピーダンス整合をとると共に、増幅器６６で反射される９０度ＬＯ信号及び基板の接地を介して回り込む９０度ＬＯ信号を低減させることが可能となる。
つまり、ＲＦフロントエンド回路１ｃは、ミキサ６９において、反射されるＬＯ信号及び回り込むＬＯ信号と、局部発振信号入力端子７３から入力されるＬＯ信号とがセルフミキシングされることで発生するＤＣオフセットを低減することが可能となる。また、ＲＦフロントエンド回路１ｃは、ミキサ７０において、反射される９０度ＬＯ信号及び回り込む９０度ＬＯ信号と、局部発振信号入力端子７３から入力される９０度ＬＯ信号とがセルフミキシングされることで発生するＤＣオフセットを低減することが可能となる。
【００３２】
（第５実施形態）
図５は、第５実施形態の直交ダウンコンバージョンを行うＲＦフロントエンド回路１ｄを示す回路構成図である。ＲＦフロントエンド回路１ｄは、受信信号入力端子８１、増幅器８２、可変アッテネータ８３、可変アッテネータ８４、可変アッテネータ８５、増幅器８６、増幅器８７、可変アッテネータ８８、可変アッテネータ８９、ミキサ９０、ミキサ９１、９０度電力分配回路９２、信号出力端子９３、局部発振信号入力端子９４及び信号出力端子９５を備える。
【００３３】
増幅器８２は、受信信号入力端子８１から入力される信号を増幅し、増幅した信号を可変アッテネータ８３へ出力する。可変アッテネータ８３は、増幅器８２から入力される信号を減衰させ、減衰した信号を可変アッテネータ８４及び可変アッテネータ８５へ接合点Ｄを介して出力する。可変アッテネータ８４は、接合点Ｄを介して可変アッテネータ８３から入力される信号を減衰させ、減衰した信号を増幅器８６へ出力する。増幅器８６は、可変アッテネータ８４から入力される信号を増幅し、増幅した信号を可変アッテネータ８８へ出力する。可変アッテネータ８８は、増幅器８６から入力される信号を減衰させ、減衰した信号をミキサ９０へ出力する。９０度電力分配回路９２は、２つのＬＯ信号出力端を有しており、局部発振信号入力端子９４から入力されるＬＯ信号を、２つのＬＯ信号出力端の一方から出力し、入力されるＬＯ信号に対して９０度の位相変換を行った９０度位相発振信号を他方のＬＯ信号出力端から出力する。ミキサ９０は、可変アッテネータ８８の出力端に接続されるＲＦ端子から入力される信号と、９０度電力分配回路９２の一方のＬＯ信号出力端と接続されるＬＯ端子から入力されるＬＯ信号とを乗算する。また、ミキサ９０は、乗算することにより周波数変換した信号を信号出力端子９３に出力する。
【００３４】
可変アッテネータ８５は、接合点Ｄを介して可変アッテネータ８３から入力される信号を減衰させ、減衰した信号を増幅器８７へ出力する。増幅器８７は、可変アッテネータ８５から入力される信号を増幅し、増幅した信号を可変アッテネータ８９へ出力する。可変アッテネータ８９は、増幅器８７から入力される信号を減衰させ、減衰した信号をミキサ９１へ出力する。ミキサ９１は、可変アッテネータ８９の出力端に接続されるＲＦ端子から入力される信号を、９０度電力分配回路９２の他方のＬＯ信号出力端と接続されるＬＯ端子から入力されるＬＯ信号と乗算する。また、ミキサ９１は、乗算、すなわち周波数変換した信号を信号出力端子９５に出力する。
【００３５】
ＲＦフロントエンド回路１ｄにおいて、１次増幅後の信号を減衰する処理は、前述のＲＦフロントエンド回路１ｃとは異なり、増幅器８２直後の可変アッテネータ８２でＩ相及びＱ相共に減衰させ、更にその後、Ｉ相とＱ相との信号を独立に減衰させる。増幅器８６及び増幅器８７からの処理は、ＲＦフロントエンド回路１ｃと同様の処理である。
ＲＦフロントエンド回路１ｄは、受信信号入力端子８１から入力された受信信号の周波数変換及び直交成分への分離を行い、分離された直交成分を含む信号を信号出力端子９３及び信号出力端子９５から出力する。
【００３６】
ＲＦフロントエンド回路１ｄは、第２の実施形態から第４の実施形態に比して、初段の増幅器８２による増幅後のＩ相及びＱ相の共通箇所に可変アッテネータ８３を備え、分岐後のそれぞれに可変アッテネータ８４と可変アッテネータ８５とを備えている。これにより、増幅器８２、増幅器８６及び増幅器８７の特性や、特に回路のレイアウトに合わせて、インピーダンス整合をとることが容易になると共に、増幅器８２で反射されるＬＯ信号及び基板の接地を介して回り込むＬＯ信号を減衰させることが用意となる。
【００３７】
また、ＲＦフロントエンド回路１ｄは、増幅器８６の後段に可変アッテネータ８８を備え、増幅器８７の後段に可変アッテネータ８９を備える。これにより、ＲＦフロントエンド回路１ｄは、増幅器８６の後段のインピーダンス整合をとると共に、増幅器８６で反射されるＬＯ信号及び基板の接地を介して回り込むＬＯ信号を低減させることが可能となる。また、ＲＦフロントエンド回路１ｄは、増幅器８７の後段のインピーダンス整合をとると共に、増幅器８７で反射される９０度ＬＯ信号及び基板の接地を介して回り込む９０度ＬＯ信号を低減させることが可能となる。
つまり、ＲＦフロントエンド回路１ｄは、反射されるＬＯ信号及び回り込むＬＯ信号と、９０度電力分配回路９２から入力されるＬＯ信号とがミキサ９０でセルフミキシングされることで発生するＤＣオフセットを低減することが可能となる。また、ＲＦフロントエンド回路１ｄは、反射される９０度ＬＯ信号及び回り込む９０度ＬＯ信号と、９０度電力分配回路９２から入力される９０度ＬＯ信号とがミキサ９０でセルフミキシングされることで発生するＤＣオフセットを低減することが可能となる。
【００３８】
以上の第１実施形態から第５実施形態で示したように広い周波数帯域の受信信号のダウンコンバージョンを行うＲＦフロントエンド回路が備える増幅器の個数及び接続される場所や、回路のレイアウトに応じて可変アッテネータの接続する場所は選択される。可変アッテネータを接続する場所は、上述の実施形態で示した場所だけでなく、増幅器及びレイアウトの構成に応じて、選択してもよい。
【００３９】
第１実施形態から第５実施形態の構成を適用することにより、所望の受信する周波数帯域に応じて、ＲＦフロントエンド回路の後段に備えられる信号処理部などからのフィードバックに従い、それぞれ備えられた可変アッテネータが制御される。これにより、インピーダンス整合をとり、第１実施形態においては増幅器によるＬＯ信号の反射を抑え、第２実施形態から第５実施形態においては増幅器によるＬＯ信号及び９０度ＬＯ信号の反射を抑える。つまり、ＬＯ信号、９０度ＬＯ信号の反射によるＤＣオフセットを低減することが可能となる。また、第１実施形態から第５実施形態の構成を適用することにより、受信信号入力端子から入力される受信信号の利得調整を行うことが可能となる。
【００４０】
なお、本発明に記載の第１の出力信号端子は、信号出力端子３０、信号出力端子５１、信号出力端子７２及び信号出力端子９３に対応する。また、本発明に記載の第２の出力信号端子は、信号出力端子３２、信号出力端子５３、信号出力端子７４及び信号出力端子９５に対応する。また、本発明に記載の第１の増幅器は、増幅器２３、増幅器４４、増幅器６５及び増幅器８６に対応する。また、本発明に記載の第２の増幅器は、増幅器２４、増幅器４５、増幅器６６及び増幅器８７に対応する。また、本発明に記載の第３の増幅器は、増幅器２２、増幅器４２、増幅器６２及び増幅器８２に対応する。
【００４１】
また、本発明に記載の第１の可変アッテネータは、可変アッテネータ２５、可変アッテネータ４６、可変アッテネータ６７及び可変アッテネータ８８に対応する。また、本発明に記載の第２の可変アッテネータは、可変アッテネータ２６、可変アッテネータ４７、可変アッテネータ６８及び可変アッテネータ８９に対応する。
【００４２】
また、本発明に記載の第３の可変アッテネータは、可変アッテネータ４３及び可変アッテネータ８３に対応する。また、本発明に記載の第４の可変アッテネータは、可変アッテネータ６３及び可変アッテネータ８４に対応する。また、本発明に記載の第５の可変アッテネータは、可変アッテネータ６４及び可変アッテネータ８５に対応する。
また、本発明に記載の接合点は、接合点Ａ、接合点Ｂ、接合点Ｃ及び接合点Ｄに対応する。
【図面の簡単な説明】
【００４３】
【図１】第１実施形態のＲＦフロントエンド回路の回路構成を示す図である。
【図２】第２実施形態のＲＦフロントエンド回路の回路構成を示す図である。
【図３】第３実施形態のＲＦフロントエンド回路の回路構成を示す図である。
【図４】第４実施形態のＲＦフロントエンド回路の回路構成を示す図である。
【図５】第５実施形態のＲＦフロントエンド回路の回路構成を示す図である。
【図６】従来例のＲＦフロントエンド回路の回路構成を示す図である。
【符号の説明】
【００４４】
１、１ａ、１ｂ、１ｃ、１ｄ  ＲＦフロントエンド回路
１０、２１、４１、６１、８１  受信信号入力端子
１１、２２、２３、２４、４２、４４、４５、６２、６５、６６、８２、８６、８７  増幅器
１２、２５、２６、４３、４６、４７、６３、６４、６７、６８、８３、８４、８５、８８、８９  可変アッテネータ
１３、２７、２８、４８、４９、６９、７０、９０、９１  ミキサ
１４、３１、５２、７３、９４  局部発振信号入力端子
１５、３０、３２、５１、５３、７２、７４、９３、９５  信号出力端子
２９、５０、７１、９２  ９０度電力分配回路
【図１】
0004820837.tif 000002
【図２】
0004820837.tif 000003
【図３】
0004820837.tif 000004
【図４】
0004820837.tif 000005
【図５】
0004820837.tif 000006
【図６】
0004820837.tif 000007